【事件の表示】
　特許第３４５８４０３号「画像再生装置」の請求項１ないし３に係る特許に対する特許異議の申立てについて、次のとおり決定する。
【結　論】
　訂正を認める。
　特許第３４５８４０３号の請求項１ないし３に係る特許を維持する。
【理　由】
１．手続の経緯
　特許第３４５８４０３号の請求項１ないし３に係る発明は、平成５年３月１２日に特許出願され、平成１５年８月８日にその特許権の設定登録がなされ、その後、有限会社オフィスアテナ（代表者藁科ひさ子）より特許異議の申立てがなされ、平成１７年５月１７日付けで取消しの理由が通知され、その指定期間内である平成１７年７月２５日に訂正請求がなされたものである。
　
２．訂正の適否についての判断
（１）訂正の内容
ア．訂正事項ａ
　特許請求の範囲の請求項１の記載について、「映像信号の選択あるいは所定の処理を行う機能を具え、選択あるいは処理がなされた映像信号を送出する回路構成部と、
　該回路構成部からの映像信号に基づく画像を再生する表示部を有した画像表示手段と、
　使用者の要求に応じるべく用意された制御動作種類数を互いに異にするものとして設定された上記回路構成部に関する複数の制御操作モードについて、それらのうちの一つを選択する操作が行われる被操作手段が設けられ、該被操作手段についての操作に応じた制御信号を送出する制御信号供給部と、
　該制御信号供給部からの制御信号を受け、受けられた制御信号に対応する操作により選択された制御操作モードのもとで上記回路構成部に行わせることができる制御動作をあらわす情報信号を送出する制御ユニットと、
　該制御ユニットからの上記情報信号に応じて、該情報信号があらわす制御動作に関する表示を上記画像表示手段の表示部に行わせる表示制御部と、
を備えて構成される画像再生装置。」とあるのを、「映像信号の選択あるいは所定の処理を行う機能を具え、選択あるいは処理がなされた映像信号を送出する回路構成部と、
　該回路構成部からの映像信号に基づく画像を再生する表示部を有した画像表示手段と、
　使用者の要求に応じるべく用意された、上記回路構成部に所定種類数の制御動作を行わせることができる第１の制御操作モード、及び、上記回路構成部に上記所定種類数の制御動作を含んだ上記所定種類数より多い種類数の制御動作を行わせることができる第２の制御操作モードを含む、制御動作種類数を互いに異にするものとして設定された上記回路構成部に関する複数の制御操作モードについて、それらのうちの一つを選択する操作が行われる被操作手段が設けられ、該被操作手段についての操作に応じた制御信号を送出する制御信号供給部と、
　該制御信号供給部からの制御信号を受け、受けられた制御信号に対応する操作により選択された制御操作モードのもとで上記回路構成部に行わせることができる制御動作をあらわす情報信号を送出する制御ユニットと、
　該制御ユニットからの上記情報信号に応じて、該情報信号があらわす上記選択された制御動作モードのもとで上記回路構成部に行わせることができる制御動作に関する表示を上記画像表示手段の表示部に行わせる表示制御部と、
を備えて構成される画像再生装置。」と訂正する。
イ．訂正事項ｂ
　　上記訂正事項ａに対応する発明の詳細な説明の記載を訂正する。
　
（２）訂正の目的の適否、新規事項の有無及び拡張・変更の存否
　上記訂正事項ａは、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第３項で準用する平成６年法律第１１６号による改正前の特許法第１２６条第１項ただし書き、第２項及び第３項の規定に適合するので、当該訂正を認める。
　
３．特許異議申立てについての判断
（１）申立ての理由の概要
　申立人有限会社オフィスアテナ（代表者藁科ひさ子）は、請求項１に係る発明は、甲第１号証（特開平３−２９６１２８号公報）と同一であり、特許法第２９条第１項第３号の規定により特許を受けることができないものであり、請求項１に係る発明は、甲第１号証、甲第２号証（特開平２−１１８５５２号公報）をもとに、請求項２に係る発明は、甲第１号証、甲第３号証（特開平３−１１０９８２号公報）をもとに、請求項３に係る発明は、甲第１号証をもとに、それぞれ容易に発明をすることができたものであり、特許法第２９条第２項の規定により、特許を受けることができないものであるから、特許を取り消すべきと主張している。
　
（２）本件の請求項１ないし３に係る発明
　上記２．で示したように上記訂正が認められるから、本件の請求項１ないし３に係る発明（以下、「本件発明１」ないし「本件発明３」という）は、上記訂正請求に係る訂正明細書の特許請求の範囲の請求項１ないし３に記載された事項により特定されるとおりのものである。
　
（３）刊行物等
　取消理由通知における刊行物１ないし３は、上記特許異議申立人が証拠として提示したものであって、それにはそれぞれ、以下の点が記載されている。
　刊行物１（特開平３−２９６１２８号公報（甲第１号証））には、テレビジョン装置をリモートコントロールする制御システムであって、操作が行われるローラ部及びスイッチを有し、これらからの信号に基づくコード信号が供給されて、それらに応じたリモートコントロール信号を発するリモコンコードエンコーダ、及び、リモートコントロール信号を発射する送信回路を有するコマンダを備えた点が記載されている。
　刊行物２（特開平２−１１８５５２号公報（甲第２号証））には、カメラシステムであって、ＩＣカードがカメラの有する機能のうち、撮影者にとって必要なものを選択、あるいは機能の択一的選択を行うことによって撮影者の意図、撮影技術に応じたカメラを提供しようとするものであって、露出モードの選択に関する露出モードとしてＰ（プログラム）モードは基本として必ず入れ、残り３つのモード（Ａ（絞り優先），Ｍ（マニュアル），Ｓ（シャッター優先）モード）の組み合わせの選択を行えるようにしている点が記載されている。
　刊行物３（特開平３−１１０９８２号公報（甲第３号証））には、チャンネルパターンを残余部に対して映出する点及びエンコーダおよび送信回路がコマンダに含まれている点が記載されている。
　
（４）対比・判断
　本件発明１ないし本件発明３と上記刊行物１ないし３に記載の発明とを対比すると、これら刊行物に記載の発明は、本件発明を特定する事項である、「回路構成部に所定種類数の制御動作を行わせることができる第１の制御操作モード、及び、上記回路構成部に上記所定種類数の制御動作を含んだ上記所定種類数より多い種類数の制御動作を行わせることができる第２の制御操作モード」を備え「選択された制御操作モードのもとで上記回路構成部に行わせることができる制御動作に関する表示を画像表示手段の表示部に行わせる」点を備えておらず、当該事項により本件発明１ないし本件発明３は、明細書記載の顕著な効果を奏するのであり、本件発明１が上記刊行物１のものと同一ということできないし、本件発明１ないし本件発明３が上記刊行物１ないし３に記載のものから容易に発明をすることができたものともいえない。
　
（５）むすび
　以上のとおりであるから、特許異議申立ての理由及び証拠によっては、本件発明１ないし本件発明３についての特許を取り消すことができない。
　また、他に本件発明１ないし本件発明３の特許を取り消すべき理由を発見しない。
　したがって、本件発明１ないし本件発明３についての特許は拒絶の査定をしなければならない特許出願に対してされたものと認めない。
　よって、結論のとおり決定する。
【異議決定日】
平成１７年８月１６日（２００５．８．１６）
【訂正の要旨】
審決（決定）の【理由】欄参照。
（５４）【発明の名称】
画像再生装置
（５７）【特許請求の範囲】
　【請求項１】映像信号の選択あるいは所定の処理を行う機能を具え、選択あるいは処理がなされた映像信号を送出する回路構成部と、
　該回路構成部からの映像信号に基づく画像を再生する表示部を有した画像表示手段と、
　使用者の要求に応じるべく用意された
、上記回路構成部に所定種類数の制御動作を行わせることができる第１の制御操作モード、及び、上記回路構成部に上記所定種類数の制御動作を含んだ上記所定種類数より多い種類数の制御動作行わせることができる第２の制御操作モードを含む、
　該制御信号供給部からの制御信号を受け、受けられた制御信号に対応する操作により選択された制御操作モードのもとで上記回路構成部に行わせることができる制御動作をあらわす情報信号を送出する制御ユニットと、
　該制御ユニットからの上記情報信号に応じて、該情報信号があらわす
上記選択された制御操作モードのもとで上記回路構成部に行わせることができる
を備えて構成される画像再生装置。
　【請求項２】表示制御部が、画像表示手段の表示部に、制御ユニットからの情報信号があらわす制御動作に関する表示を、映像信号に基づく画像が再生される領域から区画された領域に行わせることを特徴とする請求項１記載の画像再生装置。
　【請求項３】制御信号供給部が、制御ユニットに対する遠隔操作制御部とされたことを特徴とする請求項１又は２記載の画像再生装置。
【発明の詳細な説明】
　【０００１】
　【産業上の利用分野】
　本発明は、受信したテレビジョン放送信号を処理して得られる映像信号、あるいは、外部の映像信号源から供給される外部映像信号に基づく再生画像を、陰極線管等が用いられて形成される画像表示手段の表示部に得る画像再生装置に関する。
　【０００２】
　【従来の技術】
　テレビジョン受像機として構成されるものに代表される、映像信号に基づく再生画像を得る画像再生装置にあっては、テレビジョン放送信号の多様化、及び、ビデオテープレコーダ（ＶＴＲ），ビデオカメラ等のビデオ機器の普及の拡大に伴って、個々の装置の多機能化が図られてきている。例えば、家庭用テレビジョン受像機として用いられる画像再生装置においても、ＶＨＦテレビジョン放送信号あるいはＵＨＦテレビジョン放送信号を選択受信し、受信されたテレビジョン放送信号から得られる映像信号に基づく再生画像を得る機能に加えて、ＶＴＲの再生出力，ビデオカメラの出力等として得られる映像信号、即ち、外部の映像信号源から供給される外部映像信号を受け、その外部映像信号に基づく再生画像を得る機能を具えるものが主流を占める状況となってきている。
　【０００３】
　このような多機能化された画像再生装置も、通常、陰極線管，液晶パネル等が用いられて構成される画像表示部に映像信号が供給されることにより、その画像表示部における表示面上に再生画像が得られるものとされる。従って、多機能化された画像再生装置にあっては、その主要回路構成部において、例えば、受信したＶＨＦテレビジョン放送信号もしくはＵＨＦテレビジョン放送信号から映像信号を得、その映像信号に種々の処理を施して画像表示部に供給する信号処理態様、及び、外部の映像信号源から供給された外部映像信号に所定の処理を施して画像表示部に供給する信号処理態様等が選択的にとられるもとで、画像表示手段の表示面上に再生画像が得られる。
　【０００４】
　そして、主要回路構成部において所定の信号処理態様がとられるもとで、画像表示部の表示面上に再生画像が得られる、多機能化された画像再生装置は、主要回路構成部における信号処理態様についての選択制御動作、選択された信号処理態様のもとでの映像信号の選択，処理，調整等の、装置の使用者の意思に基づいて行われることになる制御動作が多数設定されるものとされる。それゆえ、使用者により画像再生装置、特に、その主要回路構成部に種々の制御動作を行わせる制御信号を送出するため操作されるべく設けられる、例えば、押釦形式，回転摘み形式あるいはスライド摘み形式のものとされる被操作子が、多種多様とされて多数設けられることになり、このような多数の被操作子は、それらの大部分が、主要回路構成部，画像表示部等を内蔵した装置本体に一体化されて、あるいは、装置本体に対する遠隔操作制御部とされて配設される制御信号供給部に、集中的に配されることが多い。
　【０００５】
　【発明が解決しようとする課題】
　上述の如くの多機能化された画像再生装置における制御動作に関しては、装置の使用者によって要求されるものが異なることになり、例えば、少数の基本的な制御動作のみが要求される状況，一般的な使用者により通常望まれる制御動作が要求される状況，専門家的使用者により望まれる多種類の制御動作が要求される状況等が生じる。そして、少数の基本的な制御動作のみ、即ち、比較的少ない制御動作種類数を要求する使用者，一般的な使用者により通常望まれる制御動作、即ち、一般的な制御動作種類数を要求する使用者、及び、専門家的使用者により望まれる多種類の制御動作、即ち、比較的多数の制御動作種類数を要求する使用者に対して、上述の如くにして被操作子が配される制御信号供給部が一律に提供されるもとでは、制御信号供給部は、専門家的使用者により望まれる多種類の制御動作の全てを装置に行わせる制御信号を送出することができる被操作子を備えたものとされざるを得ない。
　【０００６】
　それゆえ、斯かるもとでは、例えば、少数の基本的な制御動作のみを要求する使用者、さらには、一般的な使用者により通常望まれる制御動作を要求する使用者にとっては、制御信号供給部に、必要とされる被操作子に加えて、無用な被操作子が備えられていることになり、実際に、装置に所望の制御動作を行わせるべく被操作子を操作するに際して、操作すべき被操作子の特定に煩わしさを感じる、あるいは、混乱をまねくことになる事態が生じる。従って、従来提案されている多機能化された画像再生装置にあっては、装置の使用者が装置に所望の制御動作を行わせるための被操作子の操作に手間取ることとなり、さらには、使用者による被操作子に対しての誤操作が行われ易くなるという不都合がもたらされる虞がある。
　【０００７】
　斯かる点に鑑み、本発明は、多機能化されて、主要回路構成部が所定の信号処理態様をとるもとで、映像信号に基づく再生画像を画像表示手段の表示部に得るものとされるもとで、制御動作に関する要求を異にする各使用者が、所望の制御動作を行わせるための操作を、誤操作が行われ難い状況のもとに、容易かつ的確に行えることになる画像再生装置を提供することを目的とする。
　【０００８】
　【課題を解決するための手段】
　上述の目的を達成すべく、本発明に係る画像再生装置は、映像信号の選択あるいは所定の処理を行う機能を具え、選択あるいは処理がなされた映像信号を送出する回路構成部と、回路構成部からの映像信号に基づく画像を再生する表示部を有した画像表示手段と、使用者の要求に応じるべく用意された、回路構成部に所定種類数の制御動作を行わせることができる第１の制御操作モード、及び、回路構成部に上述の所定種類数の制御動作を含んだ当該所定種類数より多い種類数の制御動作を行わせることができる第２の制御操作モードを含む、制御動作種類数を互いに異にするものとして設定された回路構成部に関する複数の制御操作モードについて、それらのうちの一つを選択する操作が行われる被操作手段が設けられ、その被操作手段についての操作に応じた制御信号を送出する制御信号供給部と、制御信号供給部からの制御信号を受け、受けられた制御信号に対応する操作により選択された制御操作モードのもとで回路構成部に行わせることができる制御動作をあらわす情報信号を送出する制御ユニットと、制御ユニットからの情報信号に応じて、その情報信号があらわす選択された制御操作モードのもとで回路構成部に行わせることができる制御動作に関する表示を画像表示手段の表示部に行わせる表示制御部とを備えて構成される。
　【０００９】
　【作用】
　このように構成される本発明に係る画像再生装置にあっては、制御信号供給部に配された被操作手段についての、回路構成部に関する複数の制御操作モードのうちの一つを選択する操作が行われると、制御信号供給部からその操作に応じた制御信号が送出される。この制御信号は制御ユニットにより受けられ、制御ユニットから、当該制御信号に対応する操作により選択された制御操作モードのもとで回路構成部に行わせることができる制御動作をあらわす情報信号が送出され、それに応じて、表示制御部が、当該情報信号があらわす制御動作に関する表示を画像表示手段の表示部に行わせる。
　【００１０】
　従って、制御信号供給部に配された被操作手段についての操作を行って、複数の制御操作モードのうちの一つを選択した使用者は、例えば、テレビジョン画像が得られる画像再生状態をとる画像表示手段の表示部における表示により、例えば、テレビジョン放送信号に基づく映像信号を画像表示手段に供給している状態にある回路構成部に行わせることができる、所定種類数の制御動作あるいは所定種類数より多い種類数の制御動作とされる、その要求に沿った制御動作種類数の制御動作を、容易に認識することができることになり、その結果、制御動作種類数に関する要求を異にする各使用者が、回路構成部に所望の制御動作を行わせるための操作を、誤操作が行われ難い状況のもとに、容易かつ的確に行うことができるようにされる。
　【００１１】
　【実施例】
　図１は、本発明に係る画像再生装置の一例を示す。この例においては、ＶＨＦテレビジョン放送信号及びＵＨＦテレビジョン放送信号の両者を受けるテレビジョン放送信号用アンテナ１１が備えられており、そのテレビジョン放送信号用アンテナ１１からの、それにより受けられた複数のＶＨＦ及びＵＨＦテレビジョン放送信号ＳＶが、チューナ１２に供給される。チューナ１２は、複数のＶＨＦ及びＵＨＦテレビジョン放送信号ＳＶの夫々の選択が可能とされた選局動作を行うＶ／Ｕ両用チューナであって、チューナ１２においては、テレビジョン放送信号用アンテナ１１を通じた複数のＶＨＦ及びＵＨＦテレビジョン放送信号ＳＶのうちの一つが選択受信され、それに対する高周波増幅及び周波数変換が行われて、選択受信されたＶＨＦ及びＵＨＦテレビジョン放送信号ＳＶのうちの一つに基づく映像中間周波信号ＳＶＩが形成される。
　【００１２】
　チューナ１２から得られる映像中間周波信号ＳＶＩは、中間周波増幅部１３に供給され、中間周波増幅部１３によって増幅された映像中間周波信号ＳＶＩが、映像検波部１４に供給される。映像検波部１４においては、映像中間周波信号ＳＶＩについての復調が行われて映像信号ＶＤが得られる。そして、映像検波部１４から得られる映像信号ＶＤは、スイッチ１５における選択接点１５ａに供給される。
　【００１３】
　中間周波増幅部１３からは、映像中間周波信号ＳＶＩから分離された音声中間周波信号ＳＡＩも得られ、それが音声中間周波増幅部１６に供給される。そして、音声中間周波増幅部１６により増幅された音声中間周波信号ＳＡＩが音声検波部１７に供給され、音声検波部１７においては、音声中間周波信号ＳＡＩについての復調が行われて音声信号ＡＵが得られる。そして、音声検波部１７から得られる音声信号ＡＵは、スイッチ１８における選択接点１８ａに供給される。
　【００１４】
　また、図１に示される例においては、外部映像信号入力端子２１及び外部音声信号入力端子２２が設けられており、これら外部映像信号入力端子２１及び外部音声信号入力端子２２には、外部映像信号源である、例えば、ＶＴＲからの再生出力としての映像信号ＶＤＶ及び音声信号ＡＵＶが夫々供給される。そして、外部映像信号入力端子２１を通じた映像信号ＶＤＶがスイッチ１５における選択接点１５ｂに供給され、また、外部音声信号入力端子２２を通じた音声信号ＡＵＶがスイッチ１８における選択接点１８ｂに供給される。
　【００１５】
　さらに、図１に示される例においては、独立音声信号入力端子２２Ｉも設けられており、独立音声信号入力端子２２Ｉを通じた独立音声信号ＡＵＩがスイッチ１８における選択接点１８ｃに供給される。
　【００１６】
　スイッチ１５及びスイッチ１８はスイッチ制御信号ＣＳ１及びスイッチ制御信号ＣＳ２によって夫々制御され、スイッチ１５がその可動接点１５ｃが選択接点１５ａ及び１５ｂに選択的に接続されるものとなされるとともに、スイッチ１８がその可動接点１８ｄが選択接点１８ａ，１８ｂ及び１８ｃに選択的に接続されるものとなされる。そして、スイッチ１５が、スイッチ制御信号ＣＳ１に応じて、その可動接点１５ｃが選択接点１５ａに接続される状態とされるとき、スイッチ１８が、スイッチ制御信号ＣＳ２に応じて、その可動接点１８ｄが選択接点１８ａもしくは１８ｃに接続される状態とされ、それにより、映像検波部１４からの映像信号ＶＤがスイッチ１５を通じて映像信号処理部２３に供給されるとともに、音声検波部１７からの音声信号ＡＵもしくは独立音声信号入力端子２２Ｉからの独立音声信号ＡＵＩがスイッチ１８を通じて音声信号処理部２４に供給される。また、スイッチ１５が、スイッチ制御信号ＣＳ１に応じて、その可動接点１５ｃが選択接点１５ｂに接続される状態とされるとき、スイッチ１８が、スイッチ制御信号ＣＳ２に応じて、その可動接点１８ｄが選択接点１８ｂに接続される状態とされ、それにより、外部映像信号入力端子２１からの映像信号ＶＤＶがスイッチ１５を通じて映像信号処理部２３に供給されるとともに、外部音声信号入力端子２２からの音声信号ＡＵＶがスイッチ１８を通じて音声信号処理部２４に供給される。
　【００１７】
　映像信号処理部２３においては、スイッチ１５を通じた映像信号ＶＤもしくはＶＤＶが、それに対する種々の信号処理が行われて出力映像信号ＶＤＯとされる。そして、映像信号処理部２３から得られる出力映像信号ＶＤＯが、信号加算部２５及び出力増幅部２６を通じて、画像表示手段を構成する陰極線管２７に供給され、陰極線管２７の表示部である表示スクリーンに、出力映像信号ＶＤＯに基づく画像が再生される。このようにして、陰極線管２７の表示スクリーンに、ＶＨＦ及びＵＨＦテレビジョン放送信号ＳＶを受信している状態（ＴＶ受信状態）のもとでの再生画像（ＴＶ画像）及びＶＴＲからの再生出力である映像信号ＶＤＶ及び音声信号ＡＵＶを受ける状態（ビデオ状態）のもとでの再生画像（ビデオ画像）が選択的に得られることになる。
　【００１８】
　また、音声信号処理部２４においては、スイッチ１８を通じた音声信号ＡＵ，ＡＵＩもしくはＡＵＶが、それに対する種々の信号処理が行われて出力音声信号ＡＵＯとされる。そして、音声信号処理部２４から得られる出力音声信号ＡＵＯが、出力増幅部２８を通じてスピーカ２９に供給され、スピーカ２８により出力音声信号ＡＵＯに基づく音声が再生される。このようにして、スピーカ２８から、ＴＶ受信状態のもとでの再生音声（ＴＶ音声）及びビデオ状態のもとでの再生音声が選択的に得られることになる。
　【００１９】
　斯かるもとで、チューナ１２，中間周波増幅部１３，映像検波部１４，スイッチ１５，音声中間周波増幅部１６，音声検波部１７，スイッチ１８，外部映像信号入力端子２１，外部音声信号入力端子２２，独立音声信号入力端子２２Ｉ，映像信号処理部２３，音声信号処理部２４，信号加算部２５及び出力増幅部２６及び２８は、主要回路構成部５０を構成しており、この主要回路構成部５０は、映像信号の選択あるいは所定の処理及び音声信号の選択あるいは所定の処理等の映像信号処理部２３及び音声信号処理部２４による種々の信号処理を含む、予め設定された複数の制御動作を、複数の制御操作モードのうちから選択されたもののもとで、選択的に行うものとされる。複数の制御操作モードとしては、例えば、ＴＶ受信状態にある主要回路構成部５０に少数の基本的な制御動作が行われる状態をとらせるためのイージー制御操作モード（Ｅ制御操作モード），ＴＶ受信状態にある主要回路構成部５０に一般的な使用者により通常望まれる制御動作が行われる状態をとらせるためのノーマル制御操作モード（Ｎ制御操作モード）、及び、ＴＶ受信状態にある主要回路構成部５０に専門家的使用者により望まれる多種類の制御動作が行われる状態をとらせるためのマニアック制御操作モード（Ｍ制御操作モード）が設定される。
　【００２０】
　Ｅ制御操作モードが選択されたもとでは、主要回路構成部５０が選択的に行うことが要求される制御動作は、例えば、電源オフ制御，受信テレビジョンチャンネル（ＴＶチャンネル）切換え，音量調整、及び、ＴＶ受信状態からビデオ状態への切換えとされて、制御動作種類数が比較的少とされる。また、Ｎ制御操作モードが選択されたもとでは、主要回路構成部５０が選択的に行うことが要求される制御動作は、例えば、電源オフ制御，ＴＶチャンネル切換え，音量調整，主音声と副音声との切換え，音声ミューティング・オン／オフ制御，輝度調整，色濃度調整、及び、ＴＶ受信状態からビデオ状態への切換えとされて、Ｅ制御操作モードが選択された場合に比して、制御動作種類数が多くされる。さらに、Ｍ制御操作モードが選択されたもとでは、主要回路構成部５０が選択的に行うことが要求される制御動作は、例えば、電源オフ制御，ＴＶチャンネル切換え，音量調整，主音声と副音声との切換え，テレビジョン音声信号音声（ＴＶ音声）と独立音声信号音声（独立音声）との切換え，音声ミューティング・オン／オフ制御，輝度調整，色濃度調整，色相調整，画質調整，低音調整，高音調整，音声左右バランス調整、及び、ＴＶ受信状態からビデオ状態への切換えとされて、動作制御種類数が、Ｅ制御操作モードあるいはＮ制御操作モードが選択された場合より多い比較的多数のものとされる。
　【００２１】
　そして、図１に示される例にあっては、主要回路構成部５０に関連して、制御信号供給部３０も備えられている。制御信号供給部３０は、図２に示される如く、Ｅ制御操作モードを選択すべく操作される被操作子３１Ｅ，Ｎ制御操作モードを選択すべく操作される被操作子３１Ｎ、及び、Ｍ制御操作モードを選択すべく操作される被操作子３１Ｍと、Ｅ制御操作モード，Ｎ制御操作モードもしくはＭ制御操作モードが選択されたもとで、主要回路構成部５０に、映像信号処理部２３及び音声信号処理部２４による種々の信号処理を含む予め設定された制御動作を選択的に行わせるべく操作される被操作子３２と、後述されるカーソルを９０度宛の角度間隔を有する４方向に移動させるべく操作される被操作子３３Ｕ，３３Ｄ，３３Ｌ及び３３Ｒと、被操作子３１Ｅ，３１Ｎ，３１Ｍ，３２，３３Ｕ，３３Ｄ，３３Ｌ及び３３Ｒが接続された演算制御部３４と、演算制御部３４の出力端に接続された送信部３５とを備えて構成されている。
　【００２２】
　斯かる制御信号供給部３０は、後述される制御ユニット（３８）に対する遠隔操作制御部を形成するものとされていて、被操作子３１Ｅ，３１Ｎ，３１Ｍ，３２，３３Ｕ，３３Ｄ，３３Ｌ及び３３Ｒは、制御信号供給部３０に配された被操作手段を形成しており、夫々が、例えば、押ボタン式の被操作子とされる。そして、制御信号供給部３０においては、被操作子３１Ｅ，３１Ｎ及び３１Ｍのうちのいずれかが操作されたとき、演算制御部３４が、操作された被操作子３１Ｅ，３１Ｎもしくは３１Ｍに応じた第１の制御信号ＳＲＭ１を送信部３５に供給し、送信部３５は第１の制御信号ＳＲＭ１に応じた内容を有するものとされた遠隔制御信号ＣＲを送出する。
　【００２３】
　制御信号供給部３０における送信部３５から送出される遠隔制御信号ＣＲは、受信部３６によって受信され、受信部３６からデコーダ３７に供給される。デコーダ３７においては、遠隔制御信号ＣＲの内容をあらわす受信制御データＤＲが形成されて、それがデコーダ３７から制御ユニット３８へと供給される。制御ユニット３８にあっては、デコーダ３７からの受信制御データＤＲが、制御信号供給部３０における送信部３５から送出された第１の制御信号ＳＲＭ１に応じた内容を有するものとされた遠隔制御信号ＣＲに基づくものであるとき、受信制御データＤＲが、制御信号供給部３０における被操作子３１Ｅ，３１Ｎ及び３１Ｍのうちのいずれが操作されて送出されたものかが判別される。そして、受信制御データＤＲが制御信号供給部３０における被操作子３１Ｅが操作されて送出されたものである場合には、制御ユニット３８から、Ｅ制御操作モードが選択されたもとで被操作子３２を操作することによって主要回路構成部５０に行わせることができる制御動作、即ち、前述の如くに設定された、例えば、電源オフ制御，ＴＶチャンネル切換え，音量調整、及び、ＴＶ受信状態からビデオ状態への切換えをあらわす表示データＤＤと、カーソル表示データＤＣＳとが送出されて、それらが表示信号形成部４０に供給される。
　【００２４】
　また、受信制御データＤＲが制御信号供給部３０における被操作子３１Ｎが操作されて送出されたものである場合には、制御ユニット３８から、Ｎ制御操作モードが選択されたもとで被操作子３２を操作することによって主要回路構成部５０に行わせることができる制御動作、即ち、前述の如くに設定された、例えば、電源オフ制御，ＴＶチャンネル切換え，音量調整，主音声と副音声との切換え，音声ミューティング・オン／オフ制御，輝度調整，色濃度調整、及び、ＴＶ受信状態からビデオ状態への切換えをあらわす表示データＤＤと、カーソル表示データＤＣＳとが送出されて、それらが表示信号形成部４０に供給される。さらに、受信制御データＤＲが制御信号供給部３０における被操作子３１Ｍが操作されて送出されたものである場合には、制御ユニット３８から、Ｍ制御操作モードが選択されたもとで被操作子３２を操作することによって主要回路構成部５０に行わせることができる制御動作、即ち、前述の如くに設定された、例えば、電源オフ制御，ＴＶチャンネル切換え，音量調整，主音声と副音声との切換え，ＴＶ音声と独立音声との切換え，音声ミューティング・オン／オフ制御，輝度調整，色濃度調整，色相調整，画質調整，低音調整，高音調整，音声左右バランス調整、及び、ＴＶ受信状態からビデオ状態への切換えをあらわす表示データＤＤと、カーソル表示データＤＣＳとが送出されて、それらが表示信号形成部４０に供給される。
　【００２５】
　表示信号形成部４０には、スイッチ１５を通じて得られる映像信号ＶＤもしくはＶＤＶが同期信号分離部４１に供給されて、同期信号分離部４１から得られる、映像信号ＶＤもしくはＶＤＶ中の水平同期信号ＰＨ及び垂直同期信号ＰＶも供給され、表示信号形成部４０においては、表示データＤＤによりあらわされる、Ｅ制御操作モード，Ｎ制御操作モードもしくはＭ制御操作モードが選択されたもとで制御信号供給部３０における被操作子３２を操作することによって主要回路構成部５０に行わせることができる制御動作を、文字情報をもってあらわすとともに、カーソルをあらわすものとされ、スイッチ１５を通じて得られる映像信号ＶＤもしくはＶＤＶに同期するものとされた表示信号ＳＤＰが形成される。
　【００２６】
　そして、表示信号形成部４０から得られる表示信号ＳＤＰは、主要回路構成部５０における信号加算部２５及び出力増幅部２６を通じて陰極線管２７に供給される。それにより、陰極線管２７の表示スクリーンに、表示信号ＳＤＰが文字情報をもってあらわす、Ｅ制御操作モード，Ｎ制御操作モードもしくはＭ制御操作モードが選択されたもとで制御信号供給部３０における被操作子３２を操作することによって主要回路構成部５０に行わせることができる制御動作が、文字表示されるとともに、カーソルが表示される。陰極線管２７の表示スクリーンに表示されるカーソルは、陰極線管２７の表示スクリーン上における動作位置を、例えば、矢印をもって指示するものとされる。
　【００２７】
　このような陰極線管２７の表示スクリーンにおける、表示信号ＳＤＰが文字情報をもってあらわす、Ｅ制御操作モード，Ｎ制御操作モードもしくはＭ制御操作モードが選択されたもとで制御信号供給部３０における被操作子３２を操作することによって主要回路構成部５０に行わせることができる制御動作についての表示と、カーソルの表示とは、例えば、図３に示される如くに、陰極線管２７の表示スクリーンにおけるＴＶ画像もしくはビデオ画像が得られる領域ＡＰから区画された、ＴＶ画像もしくはビデオ画像が得られない領域ＡＱにおいて行われる。図３において、領域ＡＱにおける矢印が、カーソルＺである。
　【００２８】
　また、制御信号供給部３０における被操作子３３Ｕ，３３Ｄ，３３Ｌ及び３３Ｒは、上述の如くにして陰極線管２７の表示スクリーンにおける領域ＡＱに表示されるカーソルＺを、領域ＡＱ内で上下左右に移動させるべく操作される。そして、制御信号供給部３０における被操作子３３Ｕ，３３Ｄ，３３Ｌ及び３３Ｒのうちのいずれかが操作されると、演算制御部３４が、操作された被操作子３３Ｕ，３３Ｄ，３３Ｌもしくは３３Ｒに応じたカーソル制御信号ＳＣＵを送信部３５に供給し、送信部３５はカーソル制御信号ＳＣＵに応じた内容を有するものとされた遠隔制御信号ＣＲを送出する。このようにして、制御信号供給部３０における被操作子３３Ｕ，３３Ｄ，３３Ｌ及び３３Ｒのうちのいずれかが操作されることにより、制御信号供給部３０における送信部３５から送出される遠隔制御信号ＣＲも、受信部３６によって受信されて、受信部３６からデコーダ３７に供給され、デコーダ３７において遠隔制御信号ＣＲの内容をあらわす受信制御データＤＲが形成されて、それがデコーダ３７から制御ユニット３８へと供給される。
　【００２９】
　制御ユニット３８においては、デコーダ３７からの受信制御データＤＲが、制御信号供給部３０における送信部３５から送出されたカーソル制御信号ＳＣＵに応じた内容を有するものとされた遠隔制御信号ＣＲに基づくものであるときには、受信制御データＤＲが、制御信号供給部３０における被操作子３３Ｕ，３３Ｄ，３３Ｌ及び３３Ｒのうちのいずれが操作されて送出されたものかが判別される。そして、受信制御データＤＲが制御信号供給部３０における被操作子３３Ｕが操作されて送出されたものである場合には、制御ユニット３８から表示信号形成部４０に供給されるカーソル表示データＤＣＳが、陰極線管２７の表示スクリーンにおける領域ＡＱに表示されたカーソルＺを、カーソル制御信号ＳＣＵに応じて上方に移動させるべく変更せしめられ、その結果、陰極線管２７の表示スクリーンにおける領域ＡＱに表示されたカーソルＺが、領域ＡＱ内を上方に移動せしめられる。
　【００３０】
　また、受信制御データＤＲが制御信号供給部３０における被操作子３３Ｄが操作されて送出されたものである場合には、制御ユニット３８から表示信号形成部４０に供給されるカーソル表示データＤＣＳが、陰極線管２７の表示スクリーンにおける領域ＡＱに表示されたカーソルＺを、カーソル制御信号ＳＣＵに応じて下方に移動させるべく変更せしめられ、その結果、陰極線管２７の表示スクリーンにおける領域ＡＱに表示されたカーソルＺが、領域ＡＱ内を下方に移動せしめられる。さらに、受信制御データＤＲが制御信号供給部３０における被操作子３３Ｌもしくは３３Ｒが操作されて送出されたものである場合には、制御ユニット３８から表示信号形成部４０に供給されるカーソル表示データＤＣＳが、陰極線管２７の表示スクリーンにおける領域ＡＱに表示されたカーソルＺを、カーソル制御信号ＳＣＵに応じて左方もしくは右方に移動させるべく変更せしめられ、その結果、陰極線管２７の表示スクリーンにおける領域ＡＱに表示されたカーソルＺが、領域ＡＱ内を左方もしくは右方に移動せしめられる。
　【００３１】
　制御信号供給部３０における被操作子３２は、被操作子３３Ｕ，３３Ｄ，３３Ｌ及び３３Ｒの夫々が適宜操作され、それにより、上述の如くにして、陰極線管２７の表示スクリーンにおける領域ＡＱに表示されたカーソルＺが、領域ＡＱ内で移動せしめられ、陰極線管２７の表示スクリーンにおける領域ＡＱに文字表示された、Ｅ制御操作モード，Ｎ制御操作モードもしくはＭ制御操作モードが選択されたもとで制御信号供給部３０における被操作子３２を操作することによって主要回路構成部５０に行わせることができる制御動作のうちの選択されたものの位置を指示するものとされたもとで、操作される。即ち、制御信号供給部３０における被操作子３２は、陰極線管２７の表示スクリーンにおける領域ＡＱに文字表示された、Ｅ制御操作モード，Ｎ制御操作モードもしくはＭ制御操作モードが選択されたもとで制御信号供給部３０における被操作子３２を操作することによって主要回路構成部５０に行わせることができる制御動作のうちの選択されたものについての“クリック”を行うべく操作される。
　【００３２】
　そして、制御信号供給部３０における被操作子３２が操作され、陰極線管２７の表示スクリーンにおける領域ＡＱに文字表示された、Ｅ制御操作モード，Ｎ制御操作モードもしくはＭ制御操作モードが選択されたもとで制御信号供給部３０における被操作子３２を操作することによって主要回路構成部５０に行わせることができる制御動作のうちの選択されたものについての“クリック”がなされると、演算制御部３４が、操作された被操作子３２に応じた第２の制御信号ＳＲＭ２を送信部３５に供給し、送信部３５は第２の制御信号ＳＲＭ２に応じた内容を有するものとされた遠隔制御信号ＣＲを送出する。
　【００３３】
　制御信号供給部３０における被操作子３２が操作されることにより、制御信号供給部３０における送信部３５から送出される遠隔制御信号ＣＲも、受信部３６によって受信されて、受信部３６からデコーダ３７に供給され、デコーダ３７において遠隔制御信号ＣＲの内容をあらわす受信制御データＤＲが形成されて、それがデコーダ３７から制御ユニット３８へと供給される。制御ユニット３８においては、デコーダ３７からの受信制御データＤＲが、制御信号供給部３０における送信部３５から送出された第２の制御信号ＳＲＭ２に応じた内容を有するものとされた遠隔制御信号ＣＲに基づくものであるときには、その時、制御ユニット３８から表示信号形成部４０に供給されているカーソル表示データＤＣＳがあらわす陰極線管２７の表示スクリーンにおける領域ＡＱに表示されたカーソルＺの位置と、受信制御データＤＲの内容とに応じた制御データＤＡが形成され、それが制御ユニット３８から制御信号形成部３９に供給される。
　【００３４】
　斯かる際には、制御信号形成部３９において、制御データＤＡに基づき、主要回路構成部５０に、陰極線管２７の表示スクリーンにおける領域ＡＱにおいて文字表示されてカーソルＺにより指示されている制御動作を、第２の制御信号ＳＲＭ２に応じて行わせるための、スイッチ制御信号ＣＳ１及びＣＳ２及び制御信号ＣＸのうちの選択されたものが形成される。そして、制御信号形成部３９においてスイッチ制御信号ＣＳ１及びＣＳ２が形成された場合には、それらが主要回路構成部５０におけるスイッチ１５及び１８に夫々供給され、また、制御信号形成部３９において制御信号ＣＸが形成された場合には、それが主要回路構成部５０における映像信号処理部２３及び音声信号処理部２４を含む各部に供給され、それにより、主要回路構成部５０が、陰極線管２７の表示スクリーンにおける領域ＡＱにおいて文字表示されてカーソルＺにより指示されている制御動作を行うものとされる。
　【００３５】
　このようにして、制御信号供給部３０において、被操作子３３Ｕ，３３Ｄ，３３Ｌ及び３３Ｒの夫々が適宜操作され、それにより、陰極線管２７の表示スクリーンにおける領域ＡＱに表示されたカーソルＺが、領域ＡＱにおいて文字表示された制御動作のうちの選択されたものの位置を指示するものとされたもとで、被操作子３２が操作されることにより行われる、主要回路構成部５０における制御動作は、Ｅ制御操作モードが選択されたもとにおいて、例えば、電源オフ制御，ＴＶチャンネル切換え，音量調整、及び、ＴＶ受信状態からビデオ状態への切換えのうちから選択されたものとされ、また、Ｎ制御操作モードが選択されたもとにおいて、例えば、電源オフ制御，ＴＶチャンネル切換え，音量調整，主音声と副音声との切換え，音声ミューティング・オン／オフ制御，輝度調整，色濃度調整、及び、ＴＶ受信状態からビデオ状態への切換えのうちから選択されたものとされ、さらに、Ｍ制御操作モードが選択されたもとにおいて、例えば、電源オフ制御，ＴＶチャンネル切換え，音量調整，主音声と副音声との切換え，ＴＶ音声と独立音声との切換え，音声ミューティング・オン／オフ制御，輝度調整，色濃度調整，色相調整，画質調整，低音調整，高音調整，音声左右バランス調整、及び、ＴＶ受信状態からビデオ状態への切換えのうちから選択されたものとされる。
　【００３６】
　Ｅ制御操作モードが選択されているとき、陰極線管２７の表示スクリーンにおける領域ＡＰにＴＶ画像が得られる画像再生状態のもとで、陰極線管２７の表示スクリーンにおける領域ＡＱになされる制御動作についての文字表示、及び、カーソルの表示は、例えば、図４に示される如くに行われる。この例にあっては、陰極線管２７の表示スクリーンにおける領域ＡＱの下方部分に、ビデオ状態についての表示５１がなされており、この表示５１は、上述の如くに制御信号供給部３０における被操作子３２を操作することにより、ＴＶ画像が得られる画像再生状態からビデオ画像が得られる画像再生状態への切換えが可能な状態にあることをあらわしている。
　【００３７】
　また、陰極線管２７の表示スクリーンにおける領域ＡＱの上方部分から中間部分にかけて、電源オフ制御についての表示５２，ＴＶチャンネル切換えについての表示５３及び音量調整についての表示５４がなされている。これらの表示は、上述の如くの制御信号供給部３０における被操作子３２の操作により、主要回路構成部５０に行わせることができる、ＴＶ受信状態からビデオ状態への切換え以外の制御動作をあらわしている。
　【００３８】
　さらに、このとき、陰極線管２７の表示スクリーンにおける領域ＡＱに、制御信号供給部３０における被操作子３３Ｕ，３３Ｄ，３３Ｌ及び３３Ｒの操作に応じて、領域ＡＱ内を自在に移動せしめられるカーソルＺが矢印をもって表示されている。
　【００３９】
　Ｎ制御操作モードが選択されているとき、陰極線管２７の表示スクリーンにおける領域ＡＰにＴＶ画像が得られる画像再生状態のもとで、陰極線管２７の表示スクリーンにおける領域ＡＱになされる制御動作についての文字表示、及び、カーソルの表示は、例えば、図５に示される如くに行われる。この例にあっても、陰極線管２７の表示スクリーンにおける領域ＡＱの下方部分に、ビデオ状態についての表示５１がなされており、この表示５１は、前述の如くに制御信号供給部３０における被操作子３２を操作することにより、ＴＶ画像が得られる画像再生状態からビデオ画像が得られる画像再生状態への切換えが可能な状態にあることをあらわしている。
　【００４０】
　また、陰極線管２７の表示スクリーンにおける領域ＡＱの上方部分及び中間部分には、電源オフ制御についての表示５２，ＴＶチャンネル切換えについての表示５３，音量調整についての表示５４，副音声（もしくは主音声）への切換えについての表示５５，音声ミューティング・オン／オフ制御についての表示５７，輝度調整についての表示５８、及び、色濃度調整についての表示５９がなされている。これらの表示は、前述の如くの制御信号供給部３０における被操作子３２の操作により、主要回路構成部５０に行わせることができる、ＴＶ受信状態からビデオ状態への切換え以外の制御動作をあらわしている。
　【００４１】
　さらに、このときにも、陰極線管２７の表示スクリーンにおける領域ＡＱに、制御信号供給部３０における被操作子３３Ｕ，３３Ｄ，３３Ｌ及び３３Ｒの操作に応じて、領域ＡＱ内を自在に移動せしめられるカーソルＺが矢印をもって表示されている。
　【００４２】
　Ｍ制御操作モードが選択されているとき、陰極線管２７の表示スクリーンにおける領域ＡＰにＴＶ画像が得られる画像再生状態のもとで、陰極線管２７の表示スクリーンにおける領域ＡＱになされる制御動作についての文字表示、及び、カーソルの表示は、例えば、図６に示される如くに行われる。この例にあっても、陰極線管２７の表示スクリーンにおける領域ＡＱの下方部分に、ビデオ状態についての表示５１がなされており、この表示５１は、前述の如くに制御信号供給部３０における被操作子３２を操作することにより、ＴＶ画像が得られる画像再生状態からビデオ画像が得られる画像再生状態への切換えが可能な状態にあることをあらわしている。
　【００４３】
　また、陰極線管２７の表示スクリーンにおける領域ＡＱの上方部分及び中間部分には、電源オフ制御についての表示５２，ＴＶチャンネル切換えについての表示５３，音量調整についての表示５４，副音声（もしくは主音声）への切換えについての表示５５，独立音声（もしくはＴＶ音声）への切換えについての表示５６，音声ミューティング・オン／オフ制御についての表示５７，輝度調整についての表示５８，色濃度調整についての表示５９，色相調整についての表示６０，画質調整についての表示６１，低音調整についての表示６２，高音調整についての表示６３，音声左右バランス調整についての表示６４がなされている。これらの表示は、前述の如くの制御信号供給部３０における被操作子３２の操作により、主要回路構成部５０に行わせることができる、ＴＶ受信状態からビデオ状態への切換え以外の制御動作をあらわしている。
　【００４４】
　さらに、このときにも、陰極線管２７の表示スクリーンにおける領域ＡＱに、制御信号供給部３０における被操作子３３Ｕ，３３Ｄ，３３Ｌ及び３３Ｒの操作に応じて、領域ＡＱ内を自在に移動せしめられるカーソルＺが矢印をもって表示されている。
　【００４５】
　このようにして、陰極線管２７の表示スクリーンにおける領域ＡＱに、Ｅ制御操作モード，Ｎ制御操作モードもしくはＭ制御操作モードが選択されたもとで、制御信号供給部３０における被操作子３２を操作することにより、主要回路構成部５０に行わせることができる制御動作をあらわす文字表示が行われるので、装置の使用者が、陰極線管２７の表示スクリーンにおける領域ＡＱにおける表示により、Ｅ制御操作モード，Ｎ制御操作モード及びＭ制御操作モードの夫々のもとでの制御信号供給部３０における被操作子３２の操作によって主要回路構成部５０に行わせることができる制御動作を、容易に認識できることになり、それにより、主要回路構成部５０における制御動作に関する要求を異にする各使用者が、主要回路構成部５０に所望の制御動作を行わせるための操作を、誤操作が行われ難い状況のもとに、容易かつ的確に行えることになる。
　【００４６】
　なお、上述の例においては、制御信号供給部３０が、制御ユニット３８に対する遠隔操作制御部を形成するものとされているが、必ずしもこのようにされる必要はなく、制御信号供給部３０が、制御ユニット３８が含まれる構成部と機構的に一体的に設けられて、制御ユニット３８等との電気的接続がなされるものとされてもよい。
　【００４７】
　図１に示される例における制御ユニット３８は、例えば、マイクロコンピュータが用いられて構成され、斯かる場合におけるマイクロコンピュータが、制御信号形成部３９への制御データＤＡの供給及び表示信号形成部４０への表示データＤＤ及びカーソル表示データＤＣＳの供給に際して実行する制御プログラムの一例を、図７に示されるフローチャートを参照して説明する。
　【００４８】
　図７のフローチャートによりあらわされるプログラムにあっては、スタート後、ステップ７１において、フラッグＦｃを“０”に設定し、続くステップ７２において、デコーダ３７からの受信制御データＤＲが到来しているか否かを判断する。ステップ７２での判断の結果、受信制御データＤＲが到来していない場合には、ステップ７２での判断を繰り返し、受信制御データＤＲが到来している場合には、ステップ７３において、受信制御データＤＲを取り込む。
　【００４９】
　次に、ステップ７４において、ステップ７３で取り込まれた受信制御データＤＲが、制御信号供給部３０における送信部３５から送出された第１の制御信号ＳＲＭ１に応じた内容を有するものとされた遠隔制御信号ＣＲに基づくものであって、しかも、制御信号供給部３０における被操作子３１Ｅが操作されて送出されたものであるか、即ち、Ｅ制御操作モードを選択するものであるか否かを判断する。その結果、受信制御データＤＲが、Ｅ制御操作モードを選択するものである場合には、ステップ７５において、Ｅ制御操作モードに対応する表示データＤＤを表示信号形成部４０に送出する。
　【００５０】
　続いて、ステップ７６において、フラッグＦｃが“１”であるか否かを判断し、フラッグＦｃが“１”である場合にはステップ７２に戻り、フラッグＦｃが“１”でない場合には、ステップ７７において、カーソル表示データＤＣＳの表示信号形成部４０への送出を開始する。そして、ステップ７８において、フラッグＦｃを“１”に設定し、その後ステップ７２に戻る。
　【００５１】
　一方、ステップ７４での判断の結果、ステップ７３で取り込まれた受信制御データＤＲが、Ｅ制御操作モードを選択するものでない場合には、ステップ７９において、ステップ７３で取り込まれた受信制御データＤＲが、制御信号供給部３０における送信部３５から送出された第１の制御信号ＳＲＭ１に応じた内容を有するものとされた遠隔制御信号ＣＲに基づくものであって、しかも、制御信号供給部３０における被操作子３１Ｎが操作されて送出されたものであるか、即ち、Ｎ制御操作モードを選択するものであるか否かを判断する。その結果、受信制御データＤＲが、Ｎ制御操作モードを選択するものである場合には、ステップ８０において、Ｎ制御操作モードに対応する表示データＤＤを表示信号形成部４０に送出して、ステップ７６に進み、ステップ７６，ステップ７７及びステップ７８を前述の如くに経て、その後ステップ７２に戻る。
　【００５２】
　さらに、ステップ７９での判断の結果、ステップ７３で取り込まれた受信制御データＤＲが、Ｎ制御操作モードを選択するものでない場合には、ステップ８１において、ステップ７３で取り込まれた受信制御データＤＲが、制御信号供給部３０における送信部３５から送出された第１の制御信号ＳＲＭ１に応じた内容を有するものとされた遠隔制御信号ＣＲに基づくものであって、しかも、制御信号供給部３０における被操作子３１Ｍが操作されて送出されたものであるか、即ち、Ｍ制御操作モードを選択するものであるか否かを判断する。その結果、受信制御データＤＲが、Ｍ制御操作モードを選択するものである場合には、ステップ８２において、Ｍ制御操作モードに対応する表示データＤＤを表示信号形成部４０に送出して、ステップ７６に進み、ステップ７６，ステップ７７及びステップ７８を前述の如くに経て、その後ステップ７２に戻る。
　【００５３】
　また、ステップ８１での判断の結果、ステップ７３で取り込まれた受信制御データＤＲが、Ｍ制御操作モードを選択するものでない場合には、ステップ８３において、ステップ７３で取り込まれた受信制御データＤＲが、制御信号供給部３０における送信部３５から送出されたカーソル制御信号ＳＣＵに応じた内容を有するものとされた遠隔制御信号ＣＲに基づくものであるか否か、即ち、受信制御データＤＲが、陰極線管２７の表示スクリーンにおける領域ＡＱに表示されたカーソルＺを移動させるためのものか否かを判断する。ステップ８３での判断の結果、受信制御データＤＲが、陰極線管２７の表示スクリーンにおける領域ＡＱに表示されたカーソルＺを移動させるためのものである場合には、ステップ８４において、フラッグＦｃが“１”であるか否かを判断する。その結果、フラッグＦｃが“１”でない場合にはステップ７２に戻り、フラッグＦｃが“１”である場合には、ステップ８５において、表示信号形成部４０に送出されているカーソル表示データＤＣＳを受信制御データＤＲの内容に応じて変更し、その後ステップ７２に戻る。
　【００５４】
　カーソル表示データＤＣＳの受信制御データＤＲの内容に応じた変更にあたっては、受信制御データＤＲが制御信号供給部３０における被操作子３３Ｕが操作されて送出されたものである場合には、表示信号形成部４０に供給されるカーソル表示データＤＣＳを、陰極線管２７の表示スクリーンにおける領域ＡＱに表示されたカーソルＺをカーソル制御信号ＳＣＵに応じて上方に移動させるべく変更し、受信制御データＤＲが制御信号供給部３０における被操作子３３Ｄが操作されて送出されたものである場合には、表示信号形成部４０に供給されるカーソル表示データＤＣＳを、陰極線管２７の表示スクリーンにおける領域ＡＱに表示されたカーソルＺをカーソル制御信号ＳＣＵに応じて下方に移動させるべく変更し、受信制御データＤＲが制御信号供給部３０における被操作子３３Ｌもしくは３３Ｒが操作されて送出されたものである場合には、表示信号形成部４０に供給されるカーソル表示データＤＣＳを、陰極線管２７の表示スクリーンにおける領域ＡＱに表示されたカーソルＺをカーソル制御信号ＳＣＵに応じて左方もしくは右方に移動させるべく変更する。
　【００５５】
　さらに、ステップ８３での判断の結果、受信制御データＤＲが、陰極線管２７の表示スクリーンにおける領域ＡＱに表示されたカーソルＺを移動させるためのものでない場合には、ステップ８６において、ステップ７３で取り込まれた受信制御データＤＲが、制御信号供給部３０における被操作子３３Ｕ，３３Ｄ，３３Ｌ及び３３Ｒの夫々が適宜操作されて、陰極線管２７の表示スクリーンにおける領域ＡＱに表示されたカーソルＺが、陰極線管２７の表示スクリーンにおける領域ＡＱに文字表示された、Ｅ制御操作モード，Ｎ制御操作モードもしくはＭ制御操作モードのもとで制御信号供給部３０における被操作子３２を操作することによって主要回路構成部５０に行わせることができる制御動作のうちの選択されたものの位置を指示するものとされたもとで、制御信号供給部３０における被操作子３２が操作されて送出されたものか否か、即ち、陰極線管２７の表示スクリーンにおける領域ＡＱに文字表示された、Ｅ制御操作モード，Ｎ制御操作モードもしくはＭ制御操作モードが選択されたもとで制御信号供給部３０における被操作子３２を操作することによって主要回路構成部５０に行わせることができる制御動作のうちの選択されたものについての“クリック”がなされたか否かを判断する。
　【００５６】
　ステップ８６での判断の結果、Ｅ制御操作モード，Ｎ制御操作モードもしくはＭ制御操作モードが選択されたもとで制御信号供給部３０における被操作子３２を操作することによって主要回路構成部５０に行わせることができる制御動作のうちの選択されたものについての“クリック”がなされた場合には、ステップ８７において、フラッグＦｃが“１”であるか否かを判断する。その結果、フラッグＦｃが“１”でない場合にはステップ７２に戻り、フラッグＦｃが“１”である場合には、ステップ８８において、受信制御データＤＲの内容に応じた制御データＤＡを制御信号形成部３９に送出し、その後ステップ７２に戻る。斯かる際に制御信号形成部３９に送出される制御データＤＡは、制御信号形成部３９に、主要回路構成部５０に陰極線管２７の表示スクリーンにおける領域ＡＱにおいて文字表示されてカーソルＺにより指示されている制御動作を、第２の制御信号ＳＲＭ２に応じて行わせるための制御信号ＣＸを形成させる。
　【００５７】
　そして、ステップ８６での判断の結果、Ｅ制御操作モード，Ｎ制御操作モードもしくはＭ制御操作モードが選択されたもとで制御信号供給部３０における被操作子３２を操作することによって主要回路構成部５０に行わせることができる制御動作のうちの選択されたものについての“クリック”がなされなかった場合には、ステップ８６から直接にステップ７２に戻る。
　【００５８】
　【発明の効果】
　以上の説明から明らかな如く、本発明に係る画像再生装置にあっては、例えば、回路構成部が所定の選択あるいは処理がなされた映像信号を画像表示手段に供給する状態とされて、映像信号に基づく再生画像が画像表示手段の表示部に得られるものとされたもとで、制御信号供給部に配された被操作手段についての、例えば、Ｅ制御操作モード，Ｎ制御操作モード及びＭ制御操作モードとされる、使用者の要求に応じるべく用意された制御動作種類数を互いに異にするものとして設定された、回路構成部に関する複数の制御操作モードのうちの一つを選択する操作が行われると、制御信号供給部からその操作に応じた制御信号が送出される。この制御信号は制御ユニットにより受けられ、制御ユニットから、当該制御信号に対応する操作により選択された、例えば、Ｅ制御操作モード，Ｎ制御操作モードもしくはＭ制御操作モードとされる制御操作モードのもとで、回路構成部に行わせることができる制御動作をあらわす情報信号が送出され、それに応じて、表示制御部が、当該情報信号があらわす制御動作に関する表示を画像表示手段の表示部に行わせる。
　【００５９】
　従って、各使用者は、制御信号供給部に配された被操作手段についての操作を行って、使用者の要求に応じるべく用意された、回路構成部に所定種類数の制御動作を行わせることができる第１の制御操作モード及び回路構成部に上述の所定種類数の制御動作を含んだ当該所定種類数より多い種類数の制御動作を行わせることができる第２の制御操作モードを含む、制御動作種類数を互いに異にするものとして設定された回路構成部に関する複数の制御操作モードのうちの一つを選択することができ、それを選択した使用者は、画像表示手段の表示部における表示により、回路構成部に行わせることができる、その要求に沿った制御動作種類数の制御動作を、容易に認識することができることになり、その結果、制御動作種類数に関する要求を異にする各使用者が、回路構成部に所望の制御動作を行わせるための操作を、誤操作が行われ難い状況のもとに、容易かつ的確に行うことができることになる。
【図面の簡単な説明】
　【図１】
　本発明に係る画像再生装置の一例を示すブロック構成図である。
　【図２】
　図１に示される例における制御信号供給部の具体構成例を示すブロック構成図である。
　【図３】
　図１に示される例の動作説明に供される概念図である。
　【図４】
　図１に示される例の動作説明に供される概念図である。
　【図５】
　図１に示される例の動作説明に供される概念図である。
　【図６】
　図１に示される例の動作説明に供される概念図である。
　【図７】
　図１に示される例における制御ユニットがマイクロコンピュータによる構成される場合において、そのマイクロコンピュータが実行する制御プログラムの一例を示すフローチャートである。
　【符号の説明】
　１１　テレビジョン放送信号用アンテナ
　１２　チューナ
　１３　中間周波増幅部
　１４　映像検波部
　１５　スイッチ
　２１　外部映像信号入力端子
　２２　外部音声信号入力端子
　２３　映像信号処理部
　２５　信号加算部
　２６　出力増幅部
　２７　陰極線管
　３０　制御信号供給部
　３６　受信部
　３７　デコーダ
　３８　制御ユニット
　３９　制御信号形成部
　４０　表示信号形成部
　４１　同期信号分離部
　５０　主要回路構成部